【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
入力されたデータに応じて、前記データの処理と、前記データの処理を行う部品とを対応付けた情報を参照し、前記データを処理する部品を特定し、特定した部品を呼び出し、読み出した前記部品に対して前記データ、又は、前記データに関する情報を出力する出力部、
を備えるデータ処理装置。
【請求項２】
入力されたデータに応じて、前記データの処理と、前記データの処理を行う部品とを対応付けた情報を参照し、前記データを処理する部品を特定し、特定した部品を呼び出し、読み出した前記部品に対して前記データ又は当該部品の前順の部品の出力、又は、前記データ又は当該部品の前順の部品の出力に関する情報を出力する出力部、
を備えるデータ処理装置。
【請求項３】
入力されたデータに応じて、前記データの処理と、前記データの処理を行う順番で示された部品とを対応付けた情報を参照し、前記データを処理する部品を特定し、特定した部品を呼び出し、読み出した前記部品に対して前記データ又は当該部品の前順の部品の出力、又は、前記データ又は当該部品の前順の部品の出力に関する情報を出力する出力部、
を備えるデータ処理装置。
【請求項４】
入力されたデータに応じて、前記データの処理と前記データの出力元の少なくとも何れかと、前記データの処理を行う部品とを対応付けた情報を参照し、前記データを処理する部品を特定し、特定した部品を呼び出し、読み出した前記部品に対して前記データ、又は、前記データに関する情報を出力する出力部、
を備えるデータ処理装置。
【請求項５】
入力されたデータに応じて、前記データの処理と前記データの出力元の少なくとも何れかと、前記データの処理を行う部品とを対応付けた情報を参照し、前記データを処理する部品を特定し、特定した部品を呼び出し、読み出した前記部品に対して前記データ又は当該部品の前順の部品の出力、又は、前記データ又は当該部品の前順の部品の出力に関する情報を出力する出力部、
を備えるデータ処理装置。
【請求項６】
入力されたデータの出力先を示すタグに基づいて、前記データの処理を行う部品を特定し、特定した部品を呼び出し、読み出した前記部品に対して前記データ、又は、前記データに関する情報を出力する出力部、
を備えるデータ処理装置。
【請求項７】
入力されたデータに応じてタグを付与する付与部と、
入力されたデータの出力先を示すタグに基づいて、前記データの処理を行う部品を特定し、特定した部品を呼び出し、読み出した前記部品に対して前記データ、又は、前記データに関する情報を出力する出力部と、
を備えるデータ処理装置。
【請求項８】
入力されたデータに応じてタグを入力時又はデータの部品の入出力時又はデータの部品での処理時に付与する付与部と、
入力されたデータの出力先を示すタグに基づいて、前記データの処理を行う部品を特定し、特定した部品を呼び出し、読み出した前記部品に対して前記データ又は当該部品の前順の部品の出力、又は、前記データ又は当該部品の前順の部品の出力に関する情報を出力する出力部と、
を備えるデータ処理装置。
【請求項９】
入力されたデータ、又は、前記データに関する情報に対応付けられたタグに基づいて、前記データの処理を行う部品、
を備え、
前記部品は、自身に割当てられた処理時間に、前記タグを走査して、自身が処理する対象となるデータ又は当該データに関する部品の出力を処理するデータ処理装置。
【請求項１０】
入力されたデータに応じて、前記データの処理と、前記データの処理を行う部品とを対応付けた情報を参照し、前記データを処理する部品を特定し、特定した部品を呼び出し、読み出した前記部品に対して前記データ、又は、前記データに関する情報を出力する出力部、
を備える基盤。
【請求項１１】
入力されたデータに応じて、前記データの処理と、前記データの処理を行う部品とを対応付けた情報を参照し、前記データを処理する部品を特定し、特定した部品を呼び出し、読み出した前記部品に対して前記データ、又は、前記データに関する情報を出力する出力ステップ、
を有するデータ出力方法。
【手続補正２】
【補正対象書類名】明細書
【補正対象項目名】０００７
【補正方法】変更
【補正の内容】
【０００７】
本発明の一態様は、入力されたデータに応じて、前記データの処理と、前記データの処理を行う部品とを対応付けた情報を参照し、前記データを処理する部品を特定し、特定した部品を呼び出し、読み出した前記部品に対して前記データ、又は、前記データに関する情報を出力する出力部、を備えるデータ処理装置である。
【手続補正３】
【補正対象書類名】明細書
【補正対象項目名】０００８
【補正方法】変更
【補正の内容】
【０００８】
本発明の一態様は、入力されたデータに応じて、前記データの処理と、前記データの処理を行う部品とを対応付けた情報を参照し、前記データを処理する部品を特定し、特定した部品を呼び出し、読み出した前記部品に対して前記データ又は当該部品の前順の部品の出力、又は、前記データ又は当該部品の前順の部品の出力に関する情報を出力する出力部、を備えるデータ処理装置である。
【手続補正４】
【補正対象書類名】明細書
【補正対象項目名】０００９
【補正方法】変更
【補正の内容】
【０００９】
本発明の一態様は、入力されたデータに応じて、前記データの処理と、前記データの処理を行う順番で示された部品とを対応付けた情報を参照し、前記データを処理する部品を特定し、特定した部品を呼び出し、読み出した前記部品に対して前記データ又は当該部品の前順の部品の出力、又は、前記データ又は当該部品の前順の部品の出力に関する情報を出力する出力部、を備えるデータ処理装置である。
【手続補正５】
【補正対象書類名】明細書
【補正対象項目名】００１０
【補正方法】変更
【補正の内容】
【００１０】
本発明の一態様は、入力されたデータに応じて、前記データの処理と前記データの出力元の少なくとも何れかと、前記データの処理を行う部品とを対応付けた情報を参照し、前記データを処理する部品を特定し、特定した部品を呼び出し、読み出した前記部品に対して前記データ、又は、前記データに関する情報を出力する出力部、を備えるデータ処理装置である。
【手続補正６】
【補正対象書類名】明細書
【補正対象項目名】００１１
【補正方法】変更
【補正の内容】
【００１１】
本発明の一態様は、入力されたデータに応じて、前記データの処理と前記データの出力元の少なくとも何れかと、前記データの処理を行う部品とを対応付けた情報を参照し、前記データを処理する部品を特定し、特定した部品を呼び出し、読み出した前記部品に対して前記データ又は当該部品の前順の部品の出力、又は、前記データ又は当該部品の前順の部品の出力に関する情報を出力する出力部、を備えるデータ処理装置である。
【手続補正７】
【補正対象書類名】明細書
【補正対象項目名】００１２
【補正方法】変更
【補正の内容】
【００１２】
本発明の一態様は、入力されたデータの出力先を示すタグに基づいて、前記データの処理を行う部品を特定し、特定した部品を呼び出し、読み出した前記部品に対して前記データ、又は、前記データに関する情報を出力する出力部、を備えるデータ処理装置である。
【手続補正８】
【補正対象書類名】明細書
【補正対象項目名】００１３
【補正方法】変更
【補正の内容】
【００１３】
本発明の一態様は、入力されたデータに応じてタグを付与する付与部と、
入力されたデータの出力先を示すタグに基づいて、前記データの処理を行う部品を特定し、特定した部品を呼び出し、読み出した前記部品に対して前記データ、又は、前記データに関する情報を出力する出力部と、を備えるデータ処理装置である。
【手続補正９】
【補正対象書類名】明細書
【補正対象項目名】００１４
【補正方法】変更
【補正の内容】
【００１４】
本発明の一態様は、入力されたデータに応じてタグを入力時又はデータの部品の入出力時又はデータの部品での処理時に付与する付与部と、
入力されたデータの出力先を示すタグに基づいて、前記データの処理を行う部品を特定し、特定した部品を呼び出し、読み出した前記部品に対して前記データ又は当該部品の前順の部品の出力、又は、前記データ又は当該部品の前順の部品の出力に関する情報を出力する出力部と、を備えるデータ処理装置である。
【手続補正１０】
【補正対象書類名】明細書
【補正対象項目名】００１５
【補正方法】変更
【補正の内容】
【００１５】
本発明の一態様は、入力されたデータ、又は、前記データに関する情報に対応付けられたタグに基づいて、前記データの処理を行う部品、を備え、前記部品は、自身に割当てられた処理時間に、前記タグを走査して、自身が処理する対象となるデータ又は当該データに関する部品の出力を処理するデータ処理装置である。
【手続補正１１】
【補正対象書類名】明細書
【補正対象項目名】００１６
【補正方法】変更
【補正の内容】
【００１６】
本発明の一態様は、入力されたデータに応じて、前記データの処理と、前記データの処理を行う部品とを対応付けた情報を参照し、前記データを処理する部品を特定し、特定した部品を呼び出し、読み出した前記部品に対して前記データ、又は、前記データに関する情報を出力する出力部、を備える基盤である。
【手続補正１２】
【補正対象書類名】明細書
【補正対象項目名】００１７
【補正方法】変更
【補正の内容】
【００１７】
本発明の一態様は、入力されたデータに応じて、前記データの処理と、前記データの処理を行う部品とを対応付けた情報を参照し、前記データを処理する部品を特定し、特定した部品を呼び出し、読み出した前記部品に対して前記データ、又は、前記データに関する情報を出力する出力ステップ、を有するデータ出力方法である。